(57)【要約】【課題】作業時間の短縮および作業効率の向上を図るとともに、作業者の安全を確保すること。【解決手段】支点部を支点として一端部が回動可能に設けられた一対のピンチ部材１３１、１３２の間に固定対象物を挟むことによって当該固定対象物に固定される固定部１３０と、複数のキャップ１１１を備えた保護部１１０とを、一端が固定部１３０に連結されて他端が保護部１１０が備える複数のキャップ１１１にそれぞれ連結された紐形状をなす複数のキャップ連結部材１２１と、当該複数のキャップ連結部材１２１をそれぞれ内側に収容するチューブ形状をなす複数の絡まり防止部材１２２と、を備えた連結部１２０によって連結した低圧用端末キャップ１００を構成した。【選択図】図１
2020135937.tif 000002
【特許請求の範囲】
【請求項１】
支点部を支点として一端部が回動可能に設けられた一対のピンチ部材を備え、当該一対のピンチ部材の間に固定対象物を挟むことによって当該固定対象物に固定される固定部と、
軸心方向における一端が閉塞され、他端が開口を介して開放された略円筒形状をなす複数のキャップを備えた保護部と、
前記固定部と前記保護部とを連結する連結部と、
を備え、
前記連結部は、一端が前記固定部に連結されて他端が前記保護部が備える複数のキャップにそれぞれ連結された紐形状をなす複数のキャップ連結部材と、当該複数のキャップ連結部材をそれぞれ内側に収容するチューブ形状をなす複数の絡まり防止部材と、を備えたことを特徴とする低圧用端末キャップ。
【請求項２】
前記固定部に設けられて、前記キャップを取り外し可能に保持するキャップ保持部を備えたことを特徴とする請求項１に記載の低圧用端末キャップ。
【請求項３】
前記固定部に設けられて、長尺状の部材を挿抜可能な工具保持部を備えたことを特徴とする請求項１または２に記載の低圧用端末キャップ。
【発明の詳細な説明】
【技術分野】
【０００１】
この発明は、低圧計器の取り替え工事に用いる低圧用端末キャップに関する。
【背景技術】
【０００２】
低圧計器の取り替え工事に際しては、まず、取り替え対象とする低圧計器の端子部から配線を取り外し、つぎに、取り替え対象とする低圧計器をあらたな低圧計器に交換し、その後、先に取り外した配線をあらたな低圧計器に接続する作業をおこなう。取り替え対象とする低圧計器の端子部から取り外した配線は、充電部に接続されている。
【０００３】
従来、取り替え対象とする低圧計器の端子部から取り外した配線のそれぞれに低圧用端末キャップを取り付けて、低圧計器から一時的に取り外したケーブルの充電部を絶縁することによって、当該配線どうしが接触することによるショートや当該配線が作業者に接触することによる感電などを防止している。
【０００４】
低圧計器の取り替え工事に際して使用する低圧用端末キャップの数は、配線の数に応じて決まっており、たとえば、３本の電線を用いて電気を送る単相３線式の配線の場合、３つの低圧用端末キャップを用いる。従来、３つの低圧用端末キャップを紐で連結し、まとめて取り扱うことにより、低圧用端末キャップを１つずつ取り扱う場合よりも作業者にかかる負担軽減を図るようにしていた。
【０００５】
関連する技術として、具体的には、従来、たとえば、計量器本体に複数形成された凹状の端子収容部に挿入され、端子収容部内に板状の端子を上面側からネジ止めするネジを除くすべてを覆うカバー本体を備え、当該ネジを利用してカバー本体を端子収容部に固定するようにした電力計量器用端子カバーに関する技術があった（たとえば、下記特許文献１を参照。）。
【０００６】
また、関連する技術として、具体的には、従来、たとえば、絶縁体で形成され電気計器の水切り部の下縁を覆う保護部と、磁石によって形成された板状の固定部と、保護部と固定部とを接続する接続部と、を備え、電気計器の交換に際して電気計器に一時的に固定することによって、水切り部への電線の接触を防止するようにした短絡防止具に関する技術があった（たとえば、下記特許文献２を参照。）。
【先行技術文献】
【特許文献】
【０００７】
【特許文献１】特開２０１４−１３５１４６号公報
【特許文献２】特開２００９−１９２３８７号公報
【発明の概要】
【発明が解決しようとする課題】
【０００８】
しかしながら、上述した従来の技術は、３つの低圧用端末キャップを連結する紐が絡まりやすく、絡まった紐を解く作業に時間がかかり、煩わしいという問題があった。具体的に、低圧計器の取り替え工事の途中に紐が絡まってしまった場合、低圧用端末キャップの取り扱い性が悪くなってしまい、作業効率が低下してしまうという問題があった。
【０００９】
また、上述した従来の技術は、低圧計器の取り替え工事の途中に紐が絡まってしまった場合、絡まった紐を解くために当該紐に注力するため、充電部から大きく目を逸らすことになり、安全性に劣るという問題があった。具体的に、絡まった紐を解くために充電部から大きく目を逸らしている間に、充電部が作業者の思わぬ所へ移動して、当該配線どうしが接触することによるショートや当該配線が作業者に接触することによる感電などが発生するおそれがあるという問題があった。
【００１０】
また、上述した特許文献１や特許文献２に記載された従来の技術は、いずれも、低圧計器の取り替え工事に際しての短絡防止に寄与することができるが、低圧計器から一時的に取り外したケーブルの充電部を絶縁する低圧用端末キャップの取り扱いに寄与する技術ではなく、また、低圧計器から一時的に取り外したケーブルの充電部を絶縁するものではないため、ケーブルどうしが接触して短絡することを防止することは難しいという問題があった。
【００１１】
さらに、上述した特許文献１に記載された従来の技術は、低圧計器が備える端子に螺合されるネジを利用して、端子ごとにそれぞれ電力計量器用端子カバーを取り付ける必要があるため、取り付けにかかる作業が煩雑であるという問題があった。また、上述した特許文献１に記載された従来の技術は、電力計量器用端子カバーの取り付けに際して負荷側の停電をともなうことから、低圧計器の設置時に併せて取り付けることが現実的であり、既設の計器の交換作業に対応することは難しいという問題があった。
【００１２】
この発明は、上述した従来技術による問題点を解消するため、作業時間の短縮および作業効率の向上を図るとともに、作業者の安全を確保することができる低圧用端末キャップを提供することを目的とする。
【課題を解決するための手段】
【００１３】
上述した課題を解決し、目的を達成するため、この発明にかかる低圧用端末キャップは、支点部を支点として一端部が回動可能に設けられた一対のピンチ部材を備え、当該一対のピンチ部材の間に固定対象物を挟むことによって当該固定対象物に固定される固定部と、軸心方向における一端が閉塞され、他端が開口を介して開放された略円筒形状をなす複数のキャップを備えた保護部と、前記固定部と前記保護部とを連結する連結部と、を備え、前記連結部が、一端が前記固定部に連結されて他端が前記保護部が備える複数のキャップにそれぞれ連結された紐形状をなす複数のキャップ連結部材と、当該複数のキャップ連結部材をそれぞれ内側に収容するチューブ形状をなす複数の絡まり防止部材と、を備えたことを特徴とする。
【００１４】
また、この発明にかかる低圧用端末キャップは、上記の発明において、前記固定部に設けられて、前記キャップを取り外し可能に保持するキャップ保持部を備えたことを特徴とする。
【００１５】
また、この発明にかかる低圧用端末キャップは、上記の発明において、前記固定部に設けられて、長尺状の部材を挿抜可能な工具保持部を備えたことを特徴とする。
【発明の効果】
【００１６】
この発明にかかる低圧用端末キャップによれば、作業時間の短縮および作業効率の向上を図るとともに、作業者の安全を確保することができるという効果を奏する。
【図面の簡単な説明】
【００１７】
【図１】この発明にかかる実施の形態の低圧用端末キャップの構成を示す説明図（その１）である。
【図２】この発明にかかる実施の形態の低圧用端末キャップの構成を示す説明図（その２）である。
【図３】この発明にかかる実施の形態の低圧用端末キャップの構成を示す説明図（その３）である。
【図４】この発明にかかる実施の形態の低圧用端末キャップの構成を示す説明図（その４）である。
【図５】この発明にかかる実施の形態の低圧用端末キャップを用いた低圧計器の取り替え手順を示す説明図（その１）である。
【図６】この発明にかかる実施の形態の低圧用端末キャップを用いた低圧計器の取り替え手順を示す説明図（その２）である。
【図７】この発明にかかる実施の形態の低圧用端末キャップを用いた低圧計器の取り替え手順を示す説明図（その３）である。
【図８】この発明にかかる実施の形態の低圧用端末キャップを用いた低圧計器の取り替え手順を示す説明図（その４）である。
【図９】この発明にかかる別の実施の形態の低圧用端末キャップの構成を示す説明図である。
【発明を実施するための形態】
【００１８】
以下に添付図面を参照して、この発明にかかる低圧用端末キャップの好適な実施の形態を詳細に説明する。
【００１９】
（低圧用端末キャップの構成）
まず、この発明にかかる実施の形態の低圧用端末キャップの構成について説明する。図１〜図４は、この発明にかかる実施の形態の低圧用端末キャップの構成を示す説明図である。図１〜図４に示すように、この発明にかかる実施の形態の低圧用端末キャップ１００は、保護部１１０、連結部１２０、固定部１３０、キャップ保持部１４０、および、工具保持部１５０を備えている。
【００２０】
保護部１１０は、軸心方向における一端が閉塞され、他端が開口１１１ａを介して開放された略円筒形状をなすキャップ１１１を備えている。キャップ１１１の内径は、低圧計器に接続される電線（図５〜図８を参照）の外径寸法と同等程度とされている。キャップ１１１の軸心方向における長さは、キャップ１１１を電線に取り付けた状態において、電線の外表面との間に、キャップ１１１が電線から脱落しない程度の摩擦力を確保できる程度の長さとされている。
【００２１】
キャップ１１１において、閉塞された一端側には、連結用の貫通孔１１２が設けられている。保護部１１０は、貫通孔を介して連結部１２０と連結される。キャップ１１１において、閉塞された一端側すなわち開口１１１ａとは反対側に連結用の貫通孔１１２を設けることにより、低圧計器の取り替え工事に際して、キャップ１１１を電線に取り付ける作業の自由度を確保することができる。
【００２２】
キャップ１１１は、電気絶縁性を備えた材料を用いて形成されている。キャップ１１１は、具体的には、たとえば、塩化ビニールやポリエチレンなどの樹脂材料を用いて形成することができる。塩化ビニールは、機械的な安定性や化学的な安定性が高く、難燃性であって、長期にわたって分子構造の変化が少ないため機械的強度が変化しにくい。このような材料を用いてキャップ１１１を形成することにより、低圧計器の取り替え工事に際して、作業の途中でキャップ１１１が破損することを防止し、電線の先端の絶縁性を確保することができる。
【００２３】
保護部１１０は、３つのキャップ１１１を備えている。３つのキャップ１１１は、それぞれ異なる色の樹脂によって形成されている。具体的に、３つのキャップ１１１は、それぞれ、赤色、白色、黒色の樹脂によって形成されている。低圧計器の取り替え工事に際しては、赤色のキャップ１１１および黒色のキャップ１１１を非接地線に取り付け、白色のキャップ１１１を接地線（中性線）に取り付ける。
【００２４】
保護部１１０においては、３つのキャップ１１１をすべて同じ色の樹脂によって形成し、各キャップ１１１に「非接地線」および「接地線」、あるいは、「Ｒ相」、「Ｓ相」および「Ｔ相」などのように、取り付け対象とする電線を案内するマークが設けられていてもよい。あるいは、保護部１１０においては、３つのキャップ１１１のうちの２つを同じ色の樹脂によって形成し、１つを異なる色の樹脂によって形成してもよい。
【００２５】
連結部１２０は、キャップ連結部材１２１と、絡まり防止部材１２２と、を備えている。キャップ連結部材１２１は、柔軟性を備えた材料によって形成され、紐形状をなす。キャップ連結部材１２１は、キャップ１１１ごとにそれぞれ設けられている。キャップ連結部材１２１は、それぞれ、一端が保護部１１０に連結され、他端が固定部１３０に連結されている。保護部１１０と固定部１３０とを、柔軟性を備えるキャップ連結部材１２１によって連結することにより、保護部１１０と固定部１３０との位置関係の自由度を確保することができる。
【００２６】
キャップ連結部材１２１の一端側は、各キャップ１１１における連結用の貫通孔１１２を貫通するように挿入され、連結用の貫通孔１１２を貫通した状態で環をなすように閉じられている。これにより、キャップ１１１にキャップ連結部材１２１を連結することによって、キャップ１１１の取り扱いの自由度が損なわれることがない。そして、これによって、キャップ連結部材１２１とキャップ１１１との位置関係の自由度を確保することができ、低圧用端末キャップ１００の取り扱いを容易にすることができる。
【００２７】
キャップ連結部材１２１は、柔軟性に加えて、電気絶縁性を備えた材料によって形成することが好ましい。キャップ連結部材１２１は、具体的には、たとえば、ビニロンやポリエステルなどを用いて形成することができる。あるいは、キャップ連結部材１２１は、具体的には、たとえば、木綿などを用いて形成してもよい。
【００２８】
絡まり防止部材１２２は、チューブ形状をなす。キャップ連結部材１２１は、チューブ形状をなす絡まり防止部材１２２の管路の内側に設けられている。絡まり防止部材１２２は、軸心方向の長さが、キャップ連結部材１２１の長さよりも短い。このため、キャップ連結部材１２１は、絡まり防止部材１２２を貫通して、両端が絡まり防止部材１２２の外側に位置づけられている。
【００２９】
絡まり防止部材１２２は、所定以上の外力が加えられた場合に、当該外力に応じて変形する柔軟性を備えている。絡まり防止部材１２２は、所定以上の外力が加えられた場合に、長さに直交する方向に沿った断面の形状をほぼ変化させることなく（潰れることなく）、当該外力に応じて湾曲する可撓性を備えていることが好ましい。
【００３０】
また、絡まり防止部材１２２は、加えられた外力から解放された場合に元の形状に復帰する弾性を備えている。さらに、絡まり防止部材１２２は、電気絶縁性を備えた材料によって形成することが好ましい。具体的には、絡まり防止部材１２２は、たとえば、シリコン製のチューブやゴム製のチューブによって実現することができる。
【００３１】
固定部１３０は、クリップ形状をなす。具体的に、固定部１３０は、一対のピンチ部材１３１、１３２と、付勢部材１３３と、を備えている。一対のピンチ部材１３１、１３２は、それぞれ、長さ方向における中間部分において相対的に揺動可能に連結されている。一対のピンチ部材１３１、１３２は、連結位置を支点として相対的に揺動することにより、長さ方向における一端側を当接させたり離間させたりする。
【００３２】
一対のピンチ部材１３１、１３２は、長さ方向における一端側が互いに当接した状態において、当該一端側と互いの連結位置との間に隙間を形成する。隙間は、一対のピンチ部材１３１、１３２の長さ方向における一端側を当接させたり離間させたりする動作、すなわち、固定部１３０の開閉動作に連動して開閉される。
【００３３】
一対のピンチ部材１３１、１３２は、たとえば、プラスチックなどと称される高分子材料のように、導電性が低い材料を用いて形成されていることが好ましい。あるいは、一対のピンチ部材１３１、１３２は、たとえば、表面が絶縁材料によって覆われた、金属材料を用いて形成されていてもよい。
【００３４】
一対のピンチ部材１３１、１３２の一端側には、それぞれ、滑り止め部材１３４が設けられている。滑り止め部材１３４は、たとえば、ゴムやシリコンなどの摩擦抵抗が大きい材料によって形成されたシート状の部材によって実現することができる。滑り止め部材１３４は、ゴムやシリコンなどの摩擦抵抗が大きい材料を、一対のピンチ部材１３１、１３２の一端側にそれぞれ塗布することによって設けられていてもよい。滑り止め部材１３４は、一対のピンチ部材１３１、１３２の表面全体に設けられていてもよい。
【００３５】
付勢部材１３３は、一対のピンチ部材１３１、１３２の長さ方向における一端側が互いに当接するように、当該一対のピンチ部材１３１、１３２を付勢する。付勢部材１３３は、たとえば、連結位置よりも一対のピンチ部材１３１、１３２の他端側に設けられて、一対のピンチ部材１３１、１３２の長さ方向における他端側を互いに離間する方向に付勢する圧縮スプリングによって実現することができる。あるいは、付勢部材１３３は、たとえば、連結位置よりも一対のピンチ部材１３１、１３２の一端側に設けられて、一対のピンチ部材１３１、１３２の長さ方向における一端側を互いに引き寄せる方向に付勢する引っ張りスプリングによって実現してもよい。
【００３６】
なお、固定部１３０は、短辺どうしが当接し断面形状が略三角形状をなすように、長さ方向における２カ所で折り曲げた、長方形状をなす金属製の板状部材と、当該板状部材に取り付けた操作片と、によって構成してもよい。具体的には、固定部１３０は、たとえば、「ダブルクリップ」などと称されるクリップと同様の構成としてもよい。この場合、板状部材の剛性によって、短辺どうしが当接するように付勢する付勢力が作用するため、板状部材によって付勢部材１３３を兼用することができる。
【００３７】
キャップ保持部１４０は、固定部１３０に設けられている。具体的に、キャップ保持部１４０は、一対のピンチ部材１３１、１３２のうちの一方のピンチ部材１３１に設けられて、当該一方のピンチ部材１３１から突出する突起によって実現することができる。突起の直径寸法は、キャップ１１１の内径寸法と同程度とする。これにより、キャップ保持部１４０は、突起にキャップ１１１を嵌めることによって、キャップ１１１を保持することができる。
【００３８】
キャップ保持部１４０を実現する突起の突出方向は、一対のピンチ部材１３１、１３２の揺動に際しての中心となる軸心方向と平行であることが好ましい。これにより、一対のピンチ部材１３１、１３２の開閉状態にかかわらず、常に、キャップ保持部１４０に対してキャップ１１１を取り付けたり取り外したりすることができる。
【００３９】
キャップ保持部１４０の表面には、キャップ用の滑り止め部材が設けられていてもよい。具体的に、キャップ用の滑り止め部材は、たとえば、キャップ保持部１４０の表面にゴムやシリコンなどの摩擦抵抗が大きい材料によって形成した被膜や、キャップ保持部１４０の表面に設けられた凹凸などによって実現することができる。
【００４０】
キャップ保持部１４０の表面にキャップ用の滑り止め部材を設けることにより、キャップ保持部１４０からキャップ１１１を脱落しにくくすることができる。これにより、後述する低圧計器の取り替え作業に際し、低圧計器に取り付けた低圧用端末キャップ１００の姿勢にかかわらず、キャップ保持部１４０からキャップ１１１を脱落しにくくすることができる。
【００４１】
工具保持部１５０は、一対のピンチ部材１３１、１３２のうちの他方のピンチ部材１３２に設けられている。具体的に、工具保持部１５０は、他方のピンチ部材１３２から、一方のピンチ部材１３１から離間する方向に突出するリブ１５１と、当該リブ１５１を貫通する貫通孔１５２と、によって構成されている。貫通孔１５２は、キャップ保持部１４０を実現する突起の突出方向と平行な方向に、リブ１５１を貫通している。
【００４２】
（低圧計器の取り替え作業手順）
つぎに、この発明にかかる実施の形態の低圧用端末キャップ１００を用いた低圧計器の取り替え作業手順について説明する。図５〜図８は、この発明にかかる実施の形態の低圧用端末キャップ１００を用いた低圧計器の取り替え手順を示す説明図である。この発明にかかる実施の形態の低圧用端末キャップ１００を用いた取り替え作業の対象とする低圧計器５００は、誘導型電力量計であってもよいし、電子式電力量計であってもよく、電力量の計量にかかる構成については特に限定するものではない。
【００４３】
図５などに示すように、低圧計器５００は、家屋などの建物の壁などの壁面に固定されたケース５０１の内側に取り付けられる。ケース５０１は、図示を省略する取付ネジを用いて、ケース５０１の内側に固定されている。低圧計器５００は、本体部５１０と接続端子台５２０とを備えている。
【００４４】
本体部５１０は、箱状の筐体５１１を備えている。筐体５１１の正面側には、低圧計器５００の内部を確認できる窓部（図示を省略する）が設けられている。筐体５１１の内側には、計量部や表示部が設けられている（いずれも図示を省略する）。
【００４５】
計量部は、低圧計器５００に供給された電力量の積算値を計量する。表示部は、計量部が計量した電力量の積算値に関する情報を表示する。表示部における表示内容は、電力量計６００を正面から見た場合に、窓部を介して低圧計器５００の外側から視認することができる。計量部の構成は、この発明にかかる実施の形態の低圧計器５００が、たとえば誘導型の計器であるか、電子式の計器であるかに応じて異なる。
【００４６】
低圧計器５００が、たとえば誘導型の計器である場合、計量部は、金属材料を用いて形成された回転円盤部材と、電圧コイルと、電流コイルと、を備える。回転円盤部材は、金属材料を用いて円板形状に形成され、円板形状の中心に設けられた回動軸を回動中心として回動可能に設けられている。電圧コイルは、回転円盤部材の一面側に設けられて、磁心が円板形状部材の回動中心に一致するように配置されている。電流コイルは、回転円盤部材の他面側に設けられて、磁心が円板形状部材の回動中心に一致するように配置されている。
【００４７】
計量部においては、低圧計器５００に対して電力が供給されると、電圧コイルに加わる電圧および電流コイルに加わる電流に基づいて、電圧コイルと電流コイルとの間で回転円盤部材を貫くような磁束が発生する。この磁束は、回転円盤部材の回転中心の回りを移動し、この磁束の移動によって回転磁界を発生させる。
【００４８】
回転円盤部材は、この回転磁界を利用して得られる回転トルクによって回転する。誘導型の計器における計量部は、回転円盤部材の回転量に基づいて、低圧計器５００に供給された電力量の積算値を計量する。回転トルクは、電力に比例している。誘導型の計器における計量部の構成については、公知の技術であるため説明を省略する。
【００４９】
また、低圧計器５００が、たとえば電子式の計器である場合、計量部は、低圧計器５００に対して供給された電力に基づいて、電圧と電流との乗算をおこない、乗算結果を積分することによって低圧計器５００に供給された電力量の積算値を計量する。電子式の計器における計量部は、入力変換部と乗算処理部と分周回路部とを備えている。
【００５０】
入力変換部は、供給された電力における電圧レベルおよび電流レベルを、第１の端子および第２の端子間に構成される電子回路の電圧レベルおよび電流レベルに変換する。乗算処理部は、入力変換部によって変換された電圧レベルおよび電流レベルに基づいた乗算処理によって、供給された電力量に比例したパルス信号を生成する。分周回路部は、乗算処理部が生成したパルス信号のクロック周波数を当該クロック周波数よりも低い所定のクロック周波数に変換する。このような計量部は、分周回路部が所定のクロック周波数に変換したパルス信号に基づく積分処理をおこなって電力量の積算値を計量する。
【００５１】
電子式の計器における計量部は、乗算に際して、パルス幅変調をおこなう時分割乗算方式(アナログ乗算）や、ΔΣ・Ａ／Ｄ変換乗算方式(デジタル乗算）などの乗算方式を用いて電力量の積算量を計量する。時分割乗算方式(アナログ乗算）およびΔΣ・Ａ／Ｄ変換乗算方式(デジタル乗算）、電子式の計器における計量部の構成については、公知の各種技術を用いて容易に実現可能であるため説明を省略する。
【００５２】
表示部は、計量部が計量した電力量の積算値に関する情報を表示する。具体的には、表示部は、計量部が計量した電力量の積算値を示す数値を表示する。表示部は、たとえば０〜９までの数字が振られた、複数桁分のリールを用いて、当該リールに振られた数字によって示す現字形とすることができる。
【００５３】
また、表示部は、計量された電力量の積算値を、たとえば指針によって表示する指針形であってもよい。また、表示部は、たとえば液晶ディスプレイなどを用いて表示される０〜９までの複数桁の数字によって、電力量の積算値を示すものであってもよい。
【００５４】
接続端子台５２０は、第１の端子１Ｓ、２Ｓ、３Ｓおよび第２の端子１Ｌ、２Ｌ、３Ｌを備えている。この実施の形態の低圧用端末キャップ１００を用いた取り替え作業の対象とする低圧計器５００は、３つの第１の端子１Ｓ、２Ｓ、３Ｓと、３つの第２の端子１Ｌ、２Ｌ、３Ｌと、を備えている。
【００５５】
第１の端子１Ｓ、２Ｓ、３Ｓは、それぞれ、電線５２１（５２１ａ）を介して電源に接続される。電源は低圧計器５００に対する電力の供給元であり、この実施の形態における第１の端子１Ｓ、２Ｓ、３Ｓは、発電所ないし送電線５２１に繋がる電線５２１ａに接続されている。
【００５６】
第２の端子１Ｌ、２Ｌ、３Ｌは、それぞれ、電線５２１（５２１ｂ）を介して負荷に接続される。負荷は、低圧計器５００を通過した電力を使用する電気機器あるいは電気を使用する設備とすることができる。電源側の電線５２１ａおよび負荷側の電線５２１ｂは、それぞれ、電線取付ネジ５２２によって、第１の端子１Ｓ、２Ｓ、３Ｓおよび第１の端子１Ｓ、２Ｓ、３Ｓに固定される。
【００５７】
低圧計器５００は、通信端子５２３を備えていてもよい、通信端子５２３は、一定の電力量に達するごとにパルス信号を送信するために設けられた端子であって、通信端子５２３を設けることにより電力量を遠隔地でも確認することが可能とされている。通信端子５２３のそれぞれには、通信線を電線取付ネジ５２２によって固定することができる。低圧計器５００における通信端子５２３および通信端子５２３を用いた通信方法については、公知の各種技術を用いて容易に実現可能であるため、説明を省略する。
【００５８】
低圧計器５００の取り替え作業に際しては、まず、図５に示すように、固定部１３０により低圧計器５００を収容するケース５０１の周縁などを挟むことによって、低圧用端末キャップ１００を低圧計器５００の周辺に固定しておく。このとき、各キャップ１１１は、あらかじめ、キャップ保持部１４０の突起にそれぞれ嵌め込んで、キャップ１１１の位置を固定しておくことが好ましい。これにより、ぶら下がった状態のキャップ１１１が作業の邪魔になることを防止できる。
【００５９】
また、低圧計器５００の周辺に固定した低圧用端末キャップ１００の工具保持部１５０に、ドライバーなどの工具５０２を保持しておくことが好ましい。ドライバーなどの工具５０２は、リブ１５１に設けられた貫通孔１５２に挿入するだけで、容易に保持させることができる。なお、低圧計器５００の取り替え作業に際しては、低圧計器５００に接続されている各種の電気機器を保護することを目的として、負荷側のブレーカをあらかじめ「切」状態にしておく。
【００６０】
つぎに、取り替え対象とする低圧計器５００の接続端子台５２０から配線を取り外す。具体的には、まず、低圧計器５００における電線取付ネジ５２２を取り外す。このとき、あらかじめ、低圧計器５００の周辺に低圧用端末キャップ１００を固定しておくとともに、工具保持部１５０にあらかじめドライバーなどの工具５０２を保持させておくことにより、作業者は、ドライバーなどの工具５０２を、容易かつ素早く手に取ることができる。
【００６１】
工具保持部１５０においては、リブ１５１に設けられた貫通孔１５２に挿入するだけでドライバーなどの工具５０２を容易に保持させることができるので、作業を中断する際などには、ドライバーなどの工具５０２を容易かつ素早く工具保持部１５０に保持させて、手を空けることができる。そして、作業を再開する際には、ドライバーなどの工具５０２を容易かつ素早く手に取ることができる。
【００６２】
電線取付ネジ５２２を取り外した後は、取り外した電線取付ネジ５２２によって固定されていた電線５２１を、低圧計器５００（本体部５１０と接続端子台５２０）から取り外す。これにより、図６に示すように、電線取付ネジ５２２を取り外した電線５２１を、接続端子台５２０から引き抜くことができる。低圧計器５００から引き抜いた後の電線５２１は、先端の充電部６００が露出した状態となる。
【００６３】
つぎに、低圧計器５００から引き抜くことによって先端が露出した電線５２１が、充電部６００に接続されている３本の電線５２１ａのうちのいずれかである場合、図６において矢印で示すように、低圧計器５００から引き抜いた電線５２１ａに、キャップ１１１を取り付ける。キャップ１１１は、筆記具にキャップ１１１を嵌めるように、露出した電線５２１ａの先端に被せることによって線の先端に取り付ける。また、キャップ１１１は、低圧計器５００から引き抜いた後、即座に、露出した電線５２１ａの先端に被せる。
【００６４】
このように、低圧計器５００から電線５２１ａを引き抜き、引き抜くごとに引き抜いた電線５２１ａの先端にキャップ１１１を取り付ける作業を、充電部６００に接続されている３本の電線５２１ａのすべてについておこなう。充電部６００に接続されている電線５２１ａを低圧計器５００から引き抜いた後は、引き抜くごとに、露出した電線５２１ａの先端にキャップ１１１を被せて取り付ける。
【００６５】
工具保持部１５０においては、リブ１５１に設けられた貫通孔１５２に挿入するだけでドライバーなどの工具５０２を容易に保持させることができるので、電線取付ネジ５２２を取り外した後に、ドライバーなどの工具５０２を素早く工具保持部１５０に保持させて、作業者の手を空けることができる。これにより、作業者は、電線取付ネジ５２２を取り外した後、迅速に、低圧計器５００から電線５２１ａを引き抜く作業に移ることができ、作業時間の短縮および作業効率の向上を図ることができる。
【００６６】
このように、低圧計器５００から電線５２１ａを引き抜き、引き抜くごとに引き抜いた電線５２１ａの先端にキャップ１１１を取り付ける作業に際して、あらかじめ、低圧計器５００の周辺に低圧用端末キャップ１００を固定しておくとともに、キャップ保持部１４０の突起に各キャップ１１１をそれぞれ嵌め込んで、キャップ１１１の位置を固定しておくことにより、充電部６００に接続されている３本の電線５２１ａの先端にキャップ１１１を取り付ける作業を迅速に完了させることができる。これにより、作業時間の短縮および作業効率の向上を図るとともに、作業者の安全を確保することができる。
【００６７】
この実施の形態においては、キャップ１１１が、それぞれ、赤色、白色、黒色の樹脂によって形成されているため、各色のキャップ１１１を、当該色と同じ色の被覆を備えた電線５２１に取り付けることができる。具体的には、赤色のキャップ１１１は赤色の被覆を備えた電線５２１ａに取り付け、黒色のキャップ１１１は黒色の被覆を備えた電線５２１ａに取り付ける。また、白色のキャップ１１１は白色の被覆を備えた電線５２１ａである接地線（中性線）に取り付ける。このように、キャップ１１１を色分けすることによって、誤結線を確実に防止することができ、作業者の安全を確保することができる。
【００６８】
これにより、充電部６００に接続されている３本の電線５２１ａは、それぞれ、図７に示すように、キャップ１１１によってカバーされた状態となる。キャップ１１１は、絶縁性能に優れた材料を用いて形成されているため、充電部６００に接続されている３本の電線５２１ａをキャップ１１１によってカバーすることにより、各電線５２１ａを絶縁することができる。
【００６９】
低圧用端末キャップ１００においては、キャップ１１１がそれぞれ独立しており、それぞれを別個に取り扱うことができるため、充電部６００に接続されている電線５２１ａの長さや向きにかかわらず、これらの電線５２１ａにおける充電部６００を１本ずつ確実にカバーすることができる。取り替え対象とする低圧計器５００は、当該低圧計器５００に接続されているすべての電線５２１を取り外した後、ケース５０１から取り外す。
【００７０】
上記のように、充電部６００に接続されている３本の電線５２１ａの先端にキャップ１１１を取り付けることによって、充電された電源側の電線５２１ａが周囲に接触することによる短絡や感電などを防止することができる。また、これによって、作業者は、充電された電源側の電線５２１ａが周囲に接触することによる短絡や感電などを気にすることなく、以降の作業をおこなうことができるので、作業性の向上を図ることができる。
【００７１】
また、取り替え対象とする低圧計器５００の接続端子台５２０から電線５２１（５２１ａ、５２１ｂ）を取り外す前に、低圧用端末キャップ１００を低圧計器５００の周辺に固定しておくことにより、作業者は、低圧計器５００を引き抜いた後、容易かつ迅速にキャップ１１１を手に取ることができる。これにより、充電部６００に接続されている３本の電線５２１の先端に迅速にキャップ１１１を取り付けることができる。
【００７２】
そして、これによって、充電部６００が露出している時間を短くすることができ、充電部６００に接続されている電線５２１ａどうしが接触することによってショートしたり、当該電線５２１ａが作業者に接触することによって作業者が感電したりすることを確実に防止できる。これにより、作業時間の短縮および作業効率の向上を図るとともに、作業者の安全を確保することができる。
【００７３】
また、充電部６００に接続されている３本の電線５２１ａの先端にキャップ１１１を取り付けることによって、充電部６００に接続されている電線５２１ａどうしの接触を防止することができるので、作業者は、充電部６００に接続されている電線５２１ａから安心して目を離すことができる。これにより、ケース５０１から取り外した低圧計器５００を移動させたり、あらたな低圧計器５００を手に取る作業を落ち着いて確実におこなうことができる。
【００７４】
つぎに、取り替え対象とする低圧計器５００を、あらたな低圧計器５００に交換する。具体的には、図８において矢印で示すように、あらたな低圧計器５００をケース５０１内に取り付けてから、取付ネジを取り付ける。これにより、ケース５０１に対する低圧計器５００の位置が固定される。その後、先に取り外した配線５２１（５２１ａ、５２１ｂ）を、あらたな低圧計器５００に接続する。
【００７５】
具体的には、先に取り外した電線５２１（５２１ａ、５２１ｂ）を、第１の端子１Ｓ、２Ｓ、３Ｓと第２の端子１Ｌ、２Ｌ、３Ｌとにそれぞれ挿入する。低圧計器５００に接続する６本の電線５２１のうち、負荷に接続される電線５２１ｂは、第２の端子１Ｌ、２Ｌ、３Ｌにそれぞれ挿入する。
【００７６】
低圧計器５００に接続する６本の電線５２１（５２１ａ、５２１ｂ）のうち、充電部６００に接続されている３本の電線５２１ａは、キャップ１１１をそれぞれ取り外して充電部６００を露出させてから、第１の端子１Ｓ、２Ｓ、３Ｓにそれぞれ挿入する。低圧用端末キャップ１００においては、キャップ１１１がそれぞれ独立しており、それぞれを別個に取り扱うことができるため、充電部６００に接続されている電線５２１ａを１本ずつ確実に低圧計器５００に接続することができる。
【００７７】
充電部６００に接続されている電線５２１ａから取り外したキャップ１１１は、取り外すごとに、キャップ保持部１４０の突起にそれぞれ嵌め込んで、位置を固定しておくことが好ましい。これにより、電線５２１ａから取り外したキャップ１１１が低圧計器５００の周辺にぶら下がったままとなって、キャップ１１１が作業の邪魔になることを防止できる。これにより、作業者は、電線５２１ａから取り外したキャップ１１１や、キャップ連結部材１２１などに気を取られることなく、以降の作業をおこなうことができるので、作業性の向上を図ることができる。
【００７８】
その後、第１の端子１Ｓ、２Ｓ、３Ｓおよび第２の端子１Ｌ、２Ｌ、３Ｌに対して、それぞれ、電線取付ネジ５２２を締め付けて、電線５２１ａ、６２１ｂを低圧計器５００に接続する。電線取付ネジ５２２は、ドライバーなどの工具５０２を用いて締め付ける。このとき、あらかじめ、低圧計器５００の周辺に低圧用端末キャップ１００を固定しておくとともに、工具保持部１５０にあらかじめドライバーなどの工具５０２を保持させておくことにより、作業者は、ドライバーなどの工具５０２を、直ちに手に取ることができる。これにより、作業時間の短縮および作業効率の向上を図ることができる。
【００７９】
（別の実施の形態）
つぎに、この発明にかかる別の実施の形態の低圧用端末キャップについて説明する。別の実施の形態においては、上述した実施の形態と同一部分は同一符号で示し、説明を省略する。
【００８０】
（低圧用端末キャップの構成）
図９は、この発明にかかる別の実施の形態の低圧用端末キャップの構成を示す説明図である。図９に示すように、この発明にかかる別の実施の形態の低圧用端末キャップ９００は、保護部１１０、連結部１２０、固定部１３０、キャップ保持部１４０、および、工具保持部１５０を備えている。
【００８１】
固定部１３０は、一対のピンチ部材１３１、１３２と付勢部材１３３とによって構成されるクリップ形状をなす。一対のピンチ部材１３１、１３２のうちの他方のピンチ部材１３２には、キャップ保持部１４０および工具保持部１５０が設けられている。工具保持部１５０を構成するリブ１５１は、他方のピンチ部材１３２においてキャップ保持部１４０が設けられている端面よりも、他方のピンチ部材１３２の外側面における中央部分に設けられている。
【００８２】
別の実施の形態の低圧用端末キャップ９００によれば、他方のピンチ部材１３２に、キャップ保持部１４０および工具保持部１５０が設けられているため、作業者は、他方のピンチ部材１３２が、低圧計器５００を収容するケース５０１の外側に位置づけられるようにして、当該ケース５０１に低圧用端末キャップ９００を固定することによって、低圧計器５００の取り替え作業に際しては、低圧計器５００の周辺に固定した低圧用端末キャップ９００の一方側からのみアクセスすることによって、キャップ１１１を手に取ったり、ドライバーなどの工具５０２を手に取ったりすることができる。
【００８３】
これにより、作業者は、ケース５０１の内側に手を入れることなく、キャップ１１１あるいはドライバーなどの工具５０２を、容易に手に取ることができる。そして、これにより、作業時間の短縮および作業効率の向上を図ることができる。
【００８４】
以上説明したように、この発明にかかる実施の形態の低圧用端末キャップ１００、９００は、支点部を支点として一端部が回動可能に設けられた一対のピンチ部材１３１、１３２を備え、当該一対のピンチ部材１３１、１３２の間に固定対象物を挟むことによって当該固定対象物に固定される固定部１３０と、軸心方向における一端が閉塞され、他端が開口を介して開放された略円筒形状をなす複数のキャップ１１１を備えた保護部１１０と、固定部１３０と保護部１１０とを連結する連結部１２０と、を備え、連結部１２０が、一端が固定部１３０に連結されて他端が保護部１１０が備える複数のキャップ１１１にそれぞれ連結された紐形状をなす複数のキャップ連結部材１２１と、当該複数のキャップ連結部材１２１をそれぞれ内側に収容するチューブ形状をなす複数の絡まり防止部材１２２と、を備えたことを特徴としている。
【００８５】
この発明にかかる実施の形態の低圧用端末キャップ１００、９００によれば、複数のキャップ１１１が連結部１２０によって固定部１３０に連結されているため、固定部１３０の位置を固定することによって、複数のキャップ１１１の移動を固定部１３０を中心としキャップ連結部材１２１の長さを半径とする球体の範囲内に制限することができる。これにより、低圧計器５００の取り替え作業の途中でキャップ１１１が紛失することを防止し、キャップ１１１を１つずつ取り扱う場合よりも作業者にかかる負担軽減を図ることができる。
【００８６】
また、この発明にかかる実施の形態の低圧用端末キャップ１００、９００によれば、紐形状をなす複数のキャップ連結部材１２１によって固定部１３０と各キャップ１１１とをそれぞれ連結することによってキャップ１１１の良好な取り扱い性を確保するとともに、キャップ連結部材１２１をチューブ形状をなす複数の絡まり防止部材１２２によって覆ってキャップ連結部材１２１の絡まりを防止してキャップ１１１の良好な取り扱い性を確保することができる。これにより、作業をスムーズにおこなうことができ、充電部６００が露出している時間を短くすることができる。
【００８７】
このように、この発明にかかる実施の形態の低圧用端末キャップ１００、９００によれば、低圧計器５００の取り替え作業をおこなう作業者にかかる負担軽減を図るとともに、充電部６００が露出している時間を短くすることができるので、作業時間の短縮および作業効率の向上を図るとともに、作業者の安全を確保することができる。
【００８８】
また、この発明にかかる実施の形態の低圧用端末キャップ１００、９００は、固定部１３０に設けられて、キャップ１１１を取り外し可能に保持するキャップ保持部１４０を備えたことを特徴としている。
【００８９】
この発明にかかる実施の形態の低圧用端末キャップ１００、９００によれば、固定部１３０にキャップ１１１を保持させることによって、低圧計器５００の取り替え作業をおこなう作業者の手元近くにキャップ１１１を位置づけておくことができる。これにより、作業者は、低圧計器５００の取り替え作業に際して、容易かつ迅速にキャップ１１１を手に取ることができ、充電部６００が露出している時間を短くすることができるので、作業時間の短縮および作業効率の向上を図るとともに、作業者の安全を確保することができる。
【００９０】
また、この発明にかかる実施の形態の低圧用端末キャップ１００、９００は、固定部１３０に設けられて、長尺状の部材を挿抜可能な工具保持部１５０を備えたことを特徴としている。
【００９１】
この発明にかかる実施の形態の低圧用端末キャップ１００、９００によれば、固定部１３０にドライバーなどの工具５０２を保持させることによって、低圧計器５００の取り替え作業をおこなう作業者の手元近くに当該工具を位置づけておくことができる。これにより、作業者は、低圧計器５００の取り替え作業に際して、容易かつ迅速にドライバーなどの工具５０２を手に取ることができ、充電部６００が露出している時間を短くすることができるので、作業時間の短縮および作業効率の向上を図るとともに、作業者の安全を確保することができる。
【産業上の利用可能性】
【００９２】
以上のように、この発明にかかる低圧用端末キャップは、低圧計器の取り替え工事に用いる低圧用端末キャップに有用であり、特に、作業スペースが狭い場所における低圧計器の取り替え工事に用いる低圧用端末キャップに適している。
【符号の説明】
【００９３】
１００  低圧用端末キャップ
１１０  保護部
１１１  キャップ
１１１ａ  開口
１１２  連結用の貫通孔
１２０  連結部
１２１  キャップ連結部材
１２２  絡まり防止部材
１３０  固定部
１３１、１３２  ピンチ部材
１３３  付勢部材
１４０  キャップ保持部
１５０  工具保持部
１５１  リブ
１５２  貫通孔
９００  低圧用端末キャップ
【図１】
2020135937.tif 000003
【図２】
2020135937.tif 000004
【図３】
2020135937.tif 000005
【図４】
2020135937.tif 000006
【図５】
2020135937.tif 000007
【図６】
2020135937.tif 000008
【図７】
2020135937.tif 000009
【図８】
2020135937.tif 000010
【図９】
2020135937.tif 000011